(57)【要約】【課題】効果的な講義を行なうための情報表示装置であって、講義内容に即した受講者に適切な出題をすること。【解決手段】講師は、右画面１７Ｒに表示させた講義対象となる文書（教科書）の見開きページＴｘのうち、講義の中心となるテキスト部分ｔｐを左画面１７Ｌに拡大表示させ、ペンＰ等により重要な内容を指し示しながら講義を進める過程において、重要なキーワード（画像対応キーワードＫｎや関係する追加キーワードＫｄｎ）と当該キーワードＫｎ（Ｋｄｎ）に対応する画像Ｇｎとをそれぞれ指定して強調する操作を行なうだけで、“キーワードと対応画像に基づいた問題データ”を自動生成して表示出力（又は受講者端末に送信出力）できる。受講者は、問題データに応じて出題される問題画面ＧＱに従い、講師による重要キーワードと対応画像についての講義内容に即したタイムリーな学習が行える。【選択図】      図７
2018159737.tif 000002
【特許請求の範囲】
【請求項１】
表示部に表示されたテキスト中のキーワードをユーザ操作に応じて指定するキーワード指定手段と、
前記指定されたキーワードが画像に対応づけられたキーワードであると判断された場合に、前記表示部に前記指定されたキーワードに対応づけられた画像を表示させる画像表示制御手段と、
前記キーワード指定手段により指定されたキーワードに前記画像表示制御手段により表示された画像を対応付けて表示済みデータとして登録する表示済みキーワード登録手段と、
前記表示済みキーワード登録手段により登録されたキーワードと画像に基づいた問題を出力する問題出力手段と、
を備えた情報表示装置。
【請求項２】
前記画像表示制御手段により表示された画像中の画像部分をユーザ操作に応じて指定する画像部分指定手段を有し、
前記画像部分指定手段により前記表示された画像中の画像部分が指定された場合、前記表示済みキーワード登録手段は、前記キーワード指定手段により指定されたキーワードに前記画像部分指定手段により指定された画像部分を対応付けて表示済みデータとして登録し、前記問題出力手段は、前記表示済みキーワード登録手段により登録されたキーワードと画像部分に基づいた問題を出力する、
請求項１に記載の情報表示装置。
【請求項３】
前記キーワード指定手段により指定されたテキスト中のキーワードに対応する文字列を識別表示させるキーワード識別表示手段を備えた、
請求項１又は請求項２に記載の情報表示装置。
【請求項４】
前記表示されたテキスト中の文字列をユーザ操作に応じて追加のキーワードとして指定する追加キーワード指定手段と、
前記追加キーワード指定手段により指定されたテキスト中の追加のキーワードに対応する文字列を識別表示させる追加キーワード識別表示手段と、を備え、
前記キーワード指定手段により前記表示されたテキスト中のキーワードがユーザ操作に応じて指定され、前記追加キーワード指定手段により前記表示されたテキスト中の追加のキーワードがユーザ操作に応じて指定された場合、前記表示済みキーワード登録手段は、前記キーワード指定手段により指定されたキーワードに前記追加キーワード指定手段により指定された追加のキーワードと前記画像表示制御手段により表示された画像とを対応付けて表示済みデータとして登録し、前記問題出力手段は、前記表示済みキーワード登録手段により登録されたキーワードと追加のキーワードと画像に基づいた問題を出力する、
請求項１〜請求項３の何れか１項に記載の情報表示装置。
【請求項５】
前記表示済みキーワード登録手段により、前記キーワード指定手段により指定されたキーワードに前記追加キーワード指定手段により指定された追加のキーワードと前記画像表示制御手段により表示された画像とが対応付けられて表示済みデータとして登録された場合、前記追加キーワード識別表示手段により識別表示された前記テキスト中の追加のキーワードに対して前記キーワード指定手段により指定され前記表示済みデータとして登録されたキーワードもあわせて表示させる登録キーワード対応表示制御手段を備えた、
請求項４に記載の情報表示装置。
【請求項６】
前記問題出力手段は、前記表示済みキーワード登録手段により登録されたキーワードと画像とをランダムに配置しユーザに並べさせる問題を出力する、
請求項１に記載の情報表示装置。
【請求項７】
前記問題出力手段は、前記表示済みキーワード登録手段により登録されたキーワードと画像とをキーワードを隠した状態で対応付けて配置し、隠したキーワードをユーザに入力させる問題を出力する、
請求項１に記載の情報表示装置。
【請求項８】
前記問題出力手段は、前記表示済みキーワード登録手段により登録された画像部分を隠して前記登録されたキーワードをユーザに当て嵌めさせる問題を出力する、
請求項２に記載の情報表示装置。
【請求項９】
前記問題出力手段は、前記表示済みキーワード登録手段により登録された画像部分をヒントとして前記登録されたキーワードを隠し、隠したキーワードをユーザに入力させる問題を出力する、
請求項２に記載の情報表示装置。
【請求項１０】
表示部に表示されたテキスト中のキーワードをユーザ操作に応じて指定するキーワード指定ステップと、
前記指定されたキーワードが画像に対応づけられたキーワードであると判断された場合に、前記表示部に前記指定されたキーワードに対応づけられた画像を表示させる画像表示制御ステップと、
前記キーワード指定ステップにより指定されたキーワードに前記画像表示制御ステップにより表示された画像を対応付けて表示済みデータとして登録する表示済みキーワード登録ステップと、
前記表示済みキーワード登録ステップにより登録されたキーワードと画像に基づいた問題を出力する問題出力ステップと、
からなる情報表示方法。
【請求項１１】
コンピュータを、
表示部に表示されたテキスト中のキーワードをユーザ操作に応じて指定するキーワード指定手段、
前記指定されたキーワードが画像に対応づけられたキーワードであると判断された場合に、前記表示部に前記指定されたキーワードに対応づけられた画像を表示させる画像表示制御手段、
前記キーワード指定手段により指定されたキーワードに前記画像表示制御手段により表示された画像を対応付けて表示済みデータとして登録する表示済みキーワード登録手段、
前記表示済みキーワード登録手段により登録されたキーワードと画像に基づいた問題を出力する問題出力手段、
として機能させるためのコンピュータ読み込み可能なプログラム。
【発明の詳細な説明】
【技術分野】
【０００１】
本発明は、効果的な講義を行なうための情報表示装置、情報表示方法、及びその制御プログラムに関する。
【背景技術】
【０００２】
従来から、電子的な教材を利用して教育や学習を行なうシステムが考えられている。
【０００３】
例えば、受講者端末に教材情報とテスト問題を提供するＷｅｂサーバに接続された学習支援サーバが、複数受講者の解答履歴を分析して得られる教材提案効果情報を蓄積しておき、受講者に提示したテスト問題が、今回学習した教材の他に学習済みの他の教材の知識を必要としている場合に、受講者別の解答履歴情報と上記教材提案効果情報とに基づいて、受講者に対して有効となる教材を選択し、次提案教材としてＷｅｂサーバに通知する。これにより、テスト結果に応じて、受講者に適した次の教材を提示できるｅ−ｌｅａｒｎｉｎｇシステムが考えられている（例えば、特許文献１参照。）。
【０００４】
すなわち、前記従来のｅ−ｌｅａｒｎｉｎｇシステムは、自宅学習等において、予め作成されたテスト問題のテスト結果に応じて、学習済みの他の教材の中から受講者に適した次の教材を提示することで、学習済みであっても受講者に不足していると思われる知識を再度提供するものであり、受講者の学習後に更なる学習支援を行なうものである。
【先行技術文献】
【特許文献】
【０００５】
【特許文献１】特開２０１０−１７５６９９号公報
【発明の概要】
【発明が解決しようとする課題】
【０００６】
しかしながら、前記従来のシステムは、教育・学習に最も適した授業，講義等の現場に倣って、受講者に対し講義内容の理解を深めさせる学習支援を行なうものではない。
【０００７】
すなわち、予め作成したテスト問題では、講義の進捗に合わずに未習部分の出題が含まれてしまったり、予定した一連の講義を終えてからテストを行なうので、講義内容に即したタイムリーな出題ができなかったりする問題がある。
【０００８】
本発明は、このような課題に鑑みなされたもので、講義内容に即した受講者に適切な出題をすることが可能になる情報表示装置、情報表示方法、及びその制御プログラムを提供することを目的とする。
【課題を解決するための手段】
【０００９】
本発明に係る情報表示装置は、表示部に表示されたテキスト中のキーワードをユーザ操作に応じて指定するキーワード指定手段と、前記指定されたキーワードが画像に対応づけられたキーワードであると判断された場合に、前記表示部に前記指定されたキーワードに対応づけられた画像を表示させる画像表示制御手段と、前記キーワード指定手段により指定されたキーワードに前記画像表示制御手段により表示された画像を対応付けて表示済みデータとして登録する表示済みキーワード登録手段と、前記表示済みキーワード登録手段により登録されたキーワードと画像に基づいた問題を出力する問題出力手段と、を備えている。
【発明の効果】
【００１０】
本発明によれば、講義内容に即した受講者に適切な出題をすることが可能になる。
【図面の簡単な説明】
【００１１】
【図１】本発明の情報表示装置の実施形態に係る電子黒板(講義者端末)１０の外観構成を示す概念図。
【図２】前記電子黒板(講義者端末)１０の電子回路の構成を示すブロック図。
【図３】前記電子黒板（講義者端末）１０の講義者端末処理（その１）を示すフローチャート。
【図４】前記電子黒板（講義者端末）１０の講義者端末処理（その２）を示すフローチャート。
【図５】前記電子黒板（講義者端末）１０の講義者端末処理（その３）を示すフローチャート。
【図６】前記電子黒板（講義者端末）１０の講義者端末処理（その１）に従ったユーザ（講義者）操作に応じた講義内容の表示動作（その１）を示す図。
【図７】前記電子黒板（講義者端末）１０の講義者端末処理（その２，３）に従った（Ａ）キーワードと対応画像に基づいた問題の出力動作を示す図。
【図８】前記電子黒板（講義者端末）１０の講義者端末処理（その２）に従ったユーザ（講義者）操作に応じた講義内容の表示動作（その２）を示す図。
【図９】前記電子黒板（講義者端末）１０の講義者端末処理（その２）に従ったユーザ（講義者）操作に応じた講義内容の表示動作（その３）を示す図。
【図１０】前記電子黒板（講義者端末）１０の講義者端末処理（その２，３）に従った（Ｂ）キーワードと対応部分画像に基づいた問題の出力動作を示す図。
【発明を実施するための形態】
【００１２】
以下図面により本発明の実施の形態について説明する。
【００１３】
図１は、本発明の情報表示装置の実施形態に係る電子黒板(講義者端末)１０の外観構成を示す概念図である。
【００１４】
前記電子黒板(講義者端末)１０は、図１に示すように、講義用の黒板や白板に代る広さの表示画面を有するタッチパネル（タッチ位置検出装置）付きカラー表示部１７（１７Ｌ／ＣＢ／１７Ｒ）を備え、左右で分けたデータを表示させるための左画面１７Ｌと右画面１７Ｒを有する。
【００１５】
なお、前記電子黒板(講義者端末)１０は、タブレット端末やタッチパネル付き表示部を備えたパーソナルコンピュータ等により構成し、当該パーソナルコンピュータ等により生成されて表示される表示データを、左画面１７Ｌと右画面１７Ｒとを設定した講義用の大画面の表示装置に表示させてもよい。
【００１６】
また、前記電子黒板(講義者端末)１０は、自らは表示機能を持たない通常の黒板（又は白板）（左画面１７Ｌに相当）と、これに並べた大画面の表示装置（右画面１７Ｒに相当）と、本電子黒板１０上でのペンＰの指定位置と移動を検出するペン位置センサと、前記黒板（左画面１７Ｌ）上の画像を撮影しその撮影画像や前記表示装置（右画面１７Ｒ）に表示された画像に含まれる文字や絵を認識する撮影認識装置と、前記ペン位置センサにより検出される本電子黒板１０上でのペンＰの位置・軌跡や前記撮影認識装置により認識される本電子黒板１０上の文字や絵に基づく画像を生成する画像生成装置と、当該画像生成装置により生成された画像を前記黒板（左画面１７Ｌ）上に投影して表示させるプロジェクタ装置と、前記画像生成装置により生成された画像を前記表示装置（右画面１７Ｒ）に表示させる表示制御装置と、前記表示装置（右画面１７Ｒ），ペン位置センサ，撮影認識装置，画像生成装置，プロジェクタ装置，表示制御装置を含むシステムの全体を制御する制御装置（ＣＰＵ）と、を備えて構成してもよい。
【００１７】
以下、タッチパネル付きカラー表示部１７（１７Ｌ／ＣＢ／１７Ｒ）を備えた電子黒板(講義者端末)１０について説明する。
【００１８】
前記電子黒板(講義者端末)１０の右画面１７Ｒには、講義対象のテキスト（電子教科書）の見開きページＴｘ全体のデータが表示される。左画面１７Ｌには、右画面１７Ｒに表示された見開きページＴｘに含まれるテキスト部分ｔｐのデータが拡大されて表示される。
【００１９】
前記電子黒板(講義者端末)１０における左画面１７Ｌと右画面Ｒの間には、操作ボックスＣＢが配置され、左画面１７Ｌに拡大されて表示される前記見開きページＴｘ内でのテキスト部分ｔｐは、操作ボックスＣＢのスクロールアイコンＳＬを移動操作することでスクロールして表示される。
【００２０】
前記操作ボックスＣＢには、前記スクロールアイコンＳＬの他に、左画面１７Ｌに表示させるマーカの表示色を設定するためのマーカアイコンＭ、手書き入力モードに設定するための手書きアイコンＷ、問題の出題を指示するための出題アイコンＱが配置される。
【００２１】
講師Ｌｅは、右画面１７Ｒに表示させたテキスト（電子教科書）の見開きページＴｘから左画面１７Ｌに拡大表示させた前記見開きページＴｘのテキスト部分ｔｐを対象に、ペンＰを使用して重要な人物や事項等を指し示しながら講義を行なう。
【００２２】
各受講者（生徒等）Ｓｔ…は、受講者端末（タブレット端末等）２０…を持ち、受講者端末（タブレット端末等）２０に前記電子黒板（講義者端末）１０から無線通信で配信された講義対象のテキスト（電子教科書）の見開きページＴｘを表示させて講義を受ける。また、前記電子黒板（講義者端末）１０から無線通信で配信された問題データを表示させ、表示された問題に解答して学習する。この問題データは、前記電子黒板（講義者端末）１０を使用した講義の過程において、その講義の仕方に応じた問題データとして自動的に生成される。
【００２３】
図２は、前記電子黒板(講義者端末)１０の電子回路の構成を示すブロック図である。
【００２４】
前記電子黒板(講義者端末)１０は、コンピュータであるＣＰＵ１１を備える。前記ＣＰＵ１１は、フラッシュＲＯＭなどのメモリ１２に予め記憶された講義者端末プログラム１２ａに従って回路各部の動作を制御する。なお、講義者端末プログラム１２ａは、メモリカードなどの外部記録媒体１３から記録媒体読取部１４により読み取られて前記メモリ１２に記憶されてもよいし、外部の通信機器（図示せず）から無線通信部１５を介してダウンロードされ前記メモリ１２に記憶されてもよい。
【００２５】
前記ＣＰＵ１１には、前記メモリ１２、記録媒体読取部１４、無線通信部１５が接続される他に、キー入力部１６、タッチパネル付きカラー表示部１７（１７Ｌ／ＣＢ／１７Ｒ）、音声出力部１８も接続される。
【００２６】
また、前記メモリ１２には、文書（電子教科書）コンテンツエリア１２ｂ、画像対応キーワードデータエリア１２ｃ、キーワードデータエリア１２ｄ、追加画像対応キーワードデータエリア１２ｅ、学習済みキーワードデータエリア１２ｆ、出題レベルデータエリア１２ｇなどが確保される。
【００２７】
前記文書（電子教科書）コンテンツエリア１２ｂには、各種のテキスト（電子教科書）それぞれのコンテンツデータが、テキスト（本文）データ、画像（挿絵，地図，図表等）データを含めて記憶される。
【００２８】
前記画像対応キーワードデータエリア１２ｃには、前記文書（電子教科書）コンテンツエリア１２ｂに記憶された各テキスト（電子教科書）にそれぞれ含まれる、例えば重要人物や重要事項に相当するキーワードとそのキーワードを現す画像について、画像対応キーワードと画像のある頁・番号からなる画像番号として記憶される。例えば、画像対応キーワード『源頼朝』に対応する源頼朝の画像データは、前記テキスト（電子教科書）のデータにおける見開きページＴｘ[P56-7]の番号(4)に対応付けられて配置されている。
【００２９】
前記キーワードデータエリア１２ｄには、前記文書（電子教科書）コンテンツエリア１２ｂに記憶された各テキスト（電子教科書）にそれぞれ含まれる、例えば重要人物や重要事項に相当するキーワードが、当該キーワードの含まれる前記テキスト（電子教科書）のデータにおけるテキスト位置（ページ）に対応付けられて記憶されている。例えば、キーワード『源頼朝』は、前記テキスト（電子教科書）のデータにおけるページ[P51,P53,P54,P56,P59]にそれぞれ含まれている。
【００３０】
なお、前記文書（電子教科書）コンテンツエリア１２ｂに記憶される各種のテキスト（電子教科書）それぞれのコンテンツデータ、前記画像対応キーワードデータエリア１２ｃに記憶される各画像対応キーワードと画像番号のデータ、前記キーワードデータエリア１２ｄに記憶される各キーワードとテキスト位置（ページ）のデータは、前記講義者端末プログラム１２ａに従った本電子黒板（講義者端末）１０の動作上の必要に応じて、図示しないインターネット等の通信ネットワーク上のサーバ装置（文書（電子教科書）コンテンツ提供サーバ）から、ネットワーク通信機器及び無線通信部１５等の通信手段を介してダウンロードして取得する構成としてもよい。
【００３１】
前記追加画像対応キーワードデータエリア１２ｅには、前記講師Ｌｅによる講義の過程において、ユーザ（講師Ｌｅ等）の操作により、左画面１７Ｌに表示中のテキスト部分ｔｐに含まれる文字列が追加キーワードとして指定された後、右画面１７Ｒに表示中の画像がペンＰにより指定された場合に、当該追加キーワードと、当該指定された画像の画像番号に対応付けられている画像対応キーワードとが対応付けられて記憶される。
【００３２】
また、前記追加画像対応キーワードデータエリア１２ｅには、ユーザ（講師Ｌｅ等）の操作により、右画面１７Ｒに表示中の画像が指定され同右画面１７Ｒ内に指定の画像が拡大表示された状態で、左画面１７Ｌに表示中のテキスト部分ｔｐに含まれるキーワード又は追加キーワードが指定された後、前記右画面１７Ｒに拡大表示された画像の部分が指定された場合に、当該指定のキーワードと、当該指定された画像の画像番号と、当該画像中の指定された部分の位置情報（指定画像部分）とが対応付けられて記憶される。
【００３３】
前記学習済みキーワードデータエリア１２ｆには、ユーザ（講師Ｌｅ等）の操作により、左画面１７Ｌに表示中のテキスト部分ｔｐに含まれる画像対応キーワードが指定され、右画面１７Ｒに拡大表示された前記画像対応キーワードに対応する画像が指定された場合、指定された画像対応キーワードが学習済みキーワードとして登録され記憶される。
【００３４】
また、前記学習済みキーワードデータエリア１２ｆには、ユーザ（講師Ｌｅ等）の操作に応じて、前記追加画像対応キーワードデータエリア１２ｅに対し、追加キーワードと画像対応キーワードとが対応付けられて記憶された場合、当該追加キーワードと画像対応キーワードとを対応付けた追加画像対応キーワードのデータが学習済みキーワードとして登録され記憶される。
【００３５】
また、前記学習済みキーワードデータエリア１２ｆには、前記追加画像対応キーワードデータエリア１２ｅに対し、指定のキーワードと指定の画像の画像番号と当該画像中の指定画像部分とが対応付けられて記憶された場合、当該指定のキーワードと画像番号と指定画像部分とを対応付けた追加画像対応キーワードのデータが学習済みキーワードとして登録され記憶される。
【００３６】
ここで、本電子黒板(講義者端末)１０は、前記学習済みキーワードデータエリア１２ｆに学習済みキーワードのデータが記憶されている場合に、前記操作ボックスＣＢの出題アイコンＱがタッチ操作されることに応じて、当該学習済みキーワードのデータに基づいた問題データを生成し、前記タッチパネル付きカラー表示部１７（１７Ｌ／１７Ｒ）に表示出力（出題）したり、前記各受講者（生徒等）Ｓｔ…の受講者端末（タブレット端末等）２０…に送信出力（出題）したりする機能を有する。この際、同一の学習済みキーワードのデータに基づいて問題データの生成が繰り返される毎に、当該問題データの難易度のレベル（出題レベル）は、（初級）→（中級）→（上級）と変更され、当該変更された出題レベルの問題データが生成される。
【００３７】
前記出題レベルデータエリア１２ｇには、前記学習済みキーワードデータエリア１２ｆに記憶されている学習済みキーワードのデータに対応付けて、当該学習済みキーワードのデータに基づき生成された問題データの現在の出題レベルが記憶される。
【００３８】
このように構成された電子黒板（講義者端末）１０は、前記ＣＰＵ１１が、前記講義者端末プログラム１２ａに記述された命令に従い回路各部の動作を制御し、ソフトウエアとハードウエアとが協働して動作することにより、以下の動作説明で述べるような、講義内容に即した問題データの生成機能とその出題機能とを実現する。
【００３９】
次に、前記構成の電子黒板（講義者端末）１０の動作について説明する。
【００４０】
図３、図４、図５は、前記電子黒板（講義者端末）１０の講義者端末処理（その１）（その２）（その３）を示すフローチャートである。
【００４１】
図６は、前記電子黒板（講義者端末）１０の講義者端末処理（その１）に従ったユーザ（講義者）操作に応じた講義内容の表示動作（その１）を示す図である。
【００４２】
先ず、キー入力部１６あるいはタッチパネル付きカラー表示部１７に対するユーザ（講義者）操作に応じて、今回の講義で閲覧の対象とする文書（教科書）と見開きページＴｘ（［中学歴史］のＰ５６−５７）が指定されると（ステップＳ１）、メモリ１２内の文書（電子教科書）コンテンツエリア１２ｂから、指定の文書（教科書）［中学歴史］の指定の見開きページＴｘ（Ｐ５６−５７）のデータが読み出され、図１で示したように、タッチパネル付きカラー表示部１７の右画面１７Ｒに前記見開きページＴｘ（Ｐ５６−５７）の全体のデータが表示される（ステップＳ２）。また、左画面１７Ｌには、前記見開きページＴｘ（Ｐ５６−５７）の全体のデータに含まれる先頭のテキスト部分ｔｐが拡大されて表示される（ステップＳ２）。
【００４３】
そして講師Ｌｅにより、操作ボックスＣＢのスクロールアイコンＳＬが移動操作されると（ステップＳ３（Ｙｅｓ））、前記見開きページＴｘ（Ｐ５６−５７）の全体のデータのうち左画面１７Ｌに拡大表示されるテキスト部分ｔｐがスクロールして表示される（ステップＳ４）。
【００４４】
こうして、講師Ｌｅは、右画面１７Ｒに表示させた今回の講義の対象となる文書（教科書）の見開きページＴｘ（Ｐ５６−５７）のデータのうち、講義の中心となるテキスト部分ｔｐを左画面１７Ｌに拡大表示させ、ペンＰ等により重要な内容を指し示しながら講義を進める（ステップＳ３，Ｓ４）。
【００４５】
図６（Ａ）に示すように、左画面１７Ｌに表示させたテキスト部分ｔｐにおいて、画像対応キーワードである『源頼朝』Ｋ１がペンＰによりタッチされて指定されると（ステップＳ５，Ｓ６（Ｙｅｓ））、指定された画像対応キーワード『源頼朝』Ｋ１が黄色マーカＹｍにより識別表示される。そして、指定された画像対応キーワード『源頼朝』Ｋ１に対応付けられて画像対応キーワードデータエリア１２ｃに記憶されている画像番号[P56-7(4)]に従い、右画面１７Ｒに表示中の見開きページＴｘのデータに含まれる源頼朝の画像Ｇ１が同右画面１７Ｒに拡大されて表示される（ステップＳ７）。
【００４６】
そして、図６（Ｂ）のペンＰ１に示すように、操作ボックスＣＢのスクロールアイコンＳＬの移動操作に応じて、左画面１７Ｌに表示されているテキスト部分ｔｐをスクロールして表示させた後（ステップＳ３，Ｓ４）、ペンＰ２に示すように、マーカアイコンＭの操作に応じて赤色のマーカ色を設定し、ペンＰ３に示すように、右画面１７Ｒに表示中の源頼朝（画像Ｇ１）と同一人物である「頼朝」の文字列（現時点でキーワードでも画像対応キーワードでもない）がタッチされて指定されると（ステップＳ１０（Ｙｅｓ））、指定された文字列が追加キーワード『頼朝』Ｋｄ１として赤色マーカＲｍにより識別表示される（ステップＳ１１）。
【００４７】
そして、ペンＰ４に示すように、前記拡大表示されている源頼朝の画像Ｇ１がタッチされて指定されると（ステップＳ１２（Ｙｅｓ））、前記追加キーワード『頼朝』Ｋｄ１と、当該指定された源頼朝の画像Ｇ１の画像番号に対応付けられている画像対応キーワード『源頼朝』Ｋ１とが対応付けられて追加画像対応キーワードデータエリア１２ｅに登録されて記憶される（ステップＳ１３）。
【００４８】
すると、前記追加画像対応キーワードデータエリア１２ｅに登録された追加キーワード『頼朝』Ｋｄ１と画像対応キーワード『源頼朝』Ｋ１とを対応付けた追加画像対応キーワード（『頼朝』Ｋｄ１／『源頼朝』Ｋ１）のデータが学習済みキーワードデータエリア１２ｆに登録されて記憶される（ステップＳ１４）。
【００４９】
この際、前記追加画像対応キーワードデータエリア１２ｅに登録された追加画像対応キーワード（『頼朝』Ｋｄ１／『源頼朝』Ｋ１）に基づき、図６（Ｃ）に示すように、左画面１７Ｌのテキスト部分ｔｐにおいて指定された追加キーワード『頼朝』Ｋｄ１（Ｒｍ）の近傍に当該追加キーワード『頼朝』Ｋｄ１に対応する画像対応キーワード『源頼朝』Ｋ１（Ｙｍ）が表示される。
【００５０】
また、図６（Ｃ）に示すように、左画面１７Ｌのテキスト部分ｔｐにおいて、画像対応キーワードである『北条政子』Ｋ２がペンＰ１に示すようにタッチされて指定されると（ステップＳ５，Ｓ６（Ｙｅｓ））、指定された画像対応キーワード『北条政子』Ｋ２が黄色マーカＹｍにより識別表示される。そして、指定された画像対応キーワード『北条政子』Ｋ２に対応付けられて画像対応キーワードデータエリア１２ｃに記憶されている画像番号[P56-7(8)]に従い、右画面１７Ｒに表示中の見開きページＴｘのデータに含まれる北条政子の画像Ｇ２が同右画面１７Ｒに拡大されて表示される（ステップＳ７）。
【００５１】
そして、ペンＰ２に示すように、前記拡大表示されている北条政子の画像Ｇ２がタッチされて指定されると（ステップＳ８（Ｙｅｓ））、当該指定の画像Ｇ２に対応した前記画像対応キーワード『北条政子』Ｋ２が学習済みキーワードデータエリア１２ｆに登録されて記憶される（ステップＳ９）。
【００５２】
図７は、前記電子黒板（講義者端末）１０の講義者端末処理（その２，３）に従った（Ａ）キーワードと対応画像に基づいた問題の出力動作を示す図である。
【００５３】
右画面１７Ｒにおける北条政子の画像Ｇ２の拡大表示が、図７（Ａ）に示すように、ユーザ（講師Ｌｅ）操作に応じて解消されるか、一定時間の経過に応じて解消された後、ペンＰにより操作ボックスＣＢの出題アイコンＱがタッチ操作されると（ステップＳ２４（Ｙｅｓ））、学習済みキーワードデータエリア１２ｆに学習済みキーワードが登録されているか否か判断される（ステップＳ２５）。
【００５４】
ここでは、学習済みキーワードデータエリア１２ｆに、前記ステップＳ１４において登録された追加キーワードと画像対応キーワードとを対応付けた追加画像対応キーワード（『頼朝』Ｋｄ１／『源頼朝』Ｋ１）と、前記ステップＳ９において登録された画像対応キーワード（『北条政子』Ｋ２）とが、それぞれ学習済みキーワードとして登録されていると判断される（ステップＳ２５（Ｙｅｓ））。
【００５５】
そして、前記学習済みキーワードとして登録されている画像対応キーワード（『源頼朝』Ｋ１，『北条政子』Ｋ２）について、指定された画像の部分の位置情報（指定画像部分）が対応付けられているか否か判断される（ステップＳ２６）。
【００５６】
ここでは、前記学習済みキーワードとして登録されている画像対応キーワード（『源頼朝』Ｋ１，『北条政子』Ｋ２）について、指定された画像の部分の位置情報（指定画像部分）は対応付けられていないと判断されるので（ステップＳ２６（Ｎｏ））、（Ａ）キーワードと対応画像に基づいた問題の出力処理が実行される（ステップＳＡ）。
【００５７】
先ず、前記学習済みキーワードデータエリア１２ｆに登録されている学習済みキーワード（追加画像対応キーワード（『頼朝』Ｋｄ１／『源頼朝』Ｋ１）と画像対応キーワード（『北条政子』Ｋ２））について、出題レベルデータエリア１２ｇに記憶されている出題レベルが（初級）と判断される（ステップＡ１（Ｙｅｓ））。
【００５８】
すると、図７（Ｂ）に示すように、左画面１７Ｌに対して、前記学習済みキーワードに含まれる各画像対応キーワード（『源頼朝』Ｋ１と『北条政子』Ｋ２）をランダム順に上下に配置し、当該各画像対応キーワードＫ１，Ｋ２に対応する各画像（源頼朝の画像Ｇ１と北条政子の画像Ｇ２）をランダム順に左右に配置し、出題メッセージ「画像と名前とを正しく並べてね」を付加して配置するための初級問題の配置データを生成する（ステップＡ２，Ａ３）。
【００５９】
そして、前記初級問題の配置データに従い生成した初級問題画面ＧＱが、左画面１７Ｌに表示されて出力される（又は各受講者端末２０…に送信されて出力される）（ステップＡ６）。
【００６０】
この際、右画面１７Ｒに表示されていた見開きページＴｘ（Ｐ５６−５７）の全体のデータは、ヒント用メッセージ「［ヒント］わからないときは、タッチしてね」を記載したヒント画面ＧＨの表示によって隠される。ユーザ（受講者ｓｔ）は、前記ヒント画面ＧＨをタッチ操作して前記見開きページＴｘ（Ｐ５６−５７）の全体のデータを表示させることで、当該見開きページＴｘを前記初級問題（ＧＱ）のヒントとして参照することができる。
【００６１】
前記初級問題画面ＧＱにおいて、例えば講師Ｌｅにより指名されたユーザ（受講者ｓｔ）の操作により、ランダム配置された各画像Ｇ１，Ｇ２に対して、それぞれランダム配置された各画像対応キーワードＫ１，Ｋ２がドラッグｄされて並べられると、当該並べられた画像対応キーワードＫｎが並べ先の画像Ｇｎに対応付けられた画像対応キーワードとして登録されているか否かにより正誤判断される（ステップＡ７）。
【００６２】
例えば、図７（Ｂ）に示すように、画像Ｇ１に対して、画像対応キーワード『源頼朝』Ｋ１がペンＰによりドラッグｄされて並べられると、正解の旨のメッセージ「正解です○」が表示され、また、正解の旨の音声“ピンポン”が音声出力部１８から出力される（ステップＡ７（正解）→Ａ８）。
【００６３】
一方、例えば、前記画像Ｇ１に対して、画像対応キーワード『北条政子』Ｋ２がペンＰによりドラッグｄされて並べられた場合は、不正解の旨のメッセージ「間違いだよ×」が表示され、また、不正解の旨の音声“ブッブー”が音声出力部１８から出力される（ステップＡ７（不正解）→Ａ９）。
【００６４】
この後、前記初級問題画面ＧＱの表示状態において、操作ボックスＣＢの出題アイコンＱが再びタッチ操作されると、図７（Ｃ）に示すように、上級問題画面ＧＱ´が表示される（ステップＡ１（Ｎｏ）→Ａ４，Ａ５）。
【００６５】
すなわち、左画面１７Ｌに対して、前記学習済みキーワードに含まれる各画像対応キーワード（『源頼朝』Ｋ１と『北条政子』Ｋ２）をマーカｍで隠してランダム順に左右に配置し、当該各画像対応キーワードＫ１，Ｋ２に対応する各画像（源頼朝の画像Ｇ１と北条政子の画像Ｇ２）を前記マーカｍで隠した各画像対応キーワードＫ１（ｍ），Ｋ２（ｍ）上にランダム順に配置し、これに出題メッセージ「画像の人物の名前を手書きしてね」を付加して配置するための上級問題の配置データを生成する（ステップＡ４，Ａ５）。
【００６６】
そして、前記上級問題の配置データに従い生成した上級問題画面ＧＱ´が、左画面１７Ｌに表示されて出力される（又は各受講者端末２０…に送信されて出力される。）（ステップＡ６）。
【００６７】
前記上級問題画面ＧＱ´において、例えば講師Ｌｅにより指名されたユーザ受講者ｓｔ）の操作により、画像Ｇ１の下に配置されマーカｍで隠した画像対応キーワードＫ１（ｍ）の枠に対して、「源頼朝」が手書き入力されて表示されると、正解の旨のメッセージ「正解です○」が表示され、また、正解の旨の音声“ピンポン”が音声出力部１８から出力される（ステップＡ７（正解）→Ａ８）。
【００６８】
一方、例えば、前記画像Ｇ１の下に配置されマーカｍで隠した画像対応キーワードＫ１（ｍ）の枠に対して、「北条政子」が手書き入力されて表示されると、不正解の旨のメッセージ「間違いだよ×」が表示され、また、不正解の旨の音声“ブッブー”が音声出力部１８から出力される（ステップＡ７（不正解）→Ａ９）。
【００６９】
したがって、講師Ｌｅは、右画面１７Ｒに表示させた今回の講義の対象となる文書（教科書）の見開きページＴｘ（Ｐ５６−５７）のデータのうち、講義の中心となるテキスト部分ｔｐを左画面１７Ｌに拡大表示させ、ペンＰ等により重要な内容を指し示しながら講義を進める過程において、重要なキーワード（画像対応キーワードＫｎや関係する追加キーワードＫｄｎ）と当該キーワードＫｎ（Ｋｄｎ）に対応する画像Ｇｎとをそれぞれ指定して強調する操作を行なうだけで、当該講義の内容に即した（Ａ）キーワードと対応画像に基づいた問題データを自動的に生成して表示出力（又は受講者端末２０に送信出力）することができる。
【００７０】
そして、受講者ｓｔは、前記（Ａ）キーワードと対応画像に基づいた問題データに応じて出題される初級問題画面ＧＱや上級問題画面ＧＱ´に従い、前記講師Ｌｅによる重要キーワードと対応画像についての講義内容に即したタイムリーな学習を行なうことができる。
【００７１】
図８は、前記電子黒板（講義者端末）１０の講義者端末処理（その２）に従ったユーザ（講義者）操作に応じた講義内容の表示動作（その２）を示す図である。
【００７２】
図９は、前記電子黒板（講義者端末）１０の講義者端末処理（その２）に従ったユーザ（講義者）操作に応じた講義内容の表示動作（その３）を示す図である。
【００７３】
前述した講義に従い、図８（Ａ）に示すように、今回の講義の対象となる文書（教科書）の見開きページＴｘ（Ｐ５６−５７）のデータを右画面１７Ｒに表示させ、当該見開きページＴｘ（Ｐ５６−５７）のうちのテキスト部分ｔｐを左画面１７Ｌに拡大表示させ、画像対応キーワード『源頼朝』Ｋ１，『北条政子』Ｋ２をそれぞれ黄色マーカＹｍにより識別表示させ、追加キーワード『頼朝』Ｋｄ１を赤色マーカＲｍにより識別表示させた状態において、前記右画面１７Ｒの見開きページＴｘに含まれる［源氏・北条氏の系図］の画像がペンＰによりタッチ操作されて指定される（ステップＳ１７（Ｙｅｓ））。
【００７４】
すると、前記指定された画像［源氏・北条氏の系図］ＧＫが、図８（Ｂ）に示すように、右画面１７Ｒに拡大されて表示され、当該拡大表示された画像ＧＫがタッチ操作されると、同画像ＧＫの表示エリアが手書きモードに設定され、同画像ＧＫがピンク枠ｐｅで囲まれて表示される（ステップＳ１８）。この際、前記手書きモードに設定された画像［源氏・北条氏の系図］ＧＫの表示エリアには、文字認識アイコンｅｎが付加されて表示される。
【００７５】
ここで、ペンＰ１に示すように、左画面１７Ｌに識別表示されている画像対応キーワード『源頼朝』Ｋ１（『頼朝』Ｋｄ１）がタッチ操作されて指定された後（ステップＳ１９（Ｙｅｓ））、ペンＰ２に示すように、右画面１７Ｒの画像［源氏・北条氏の系図］ＧＫ（ｐｅ）に含まれる「源頼朝」の部分が囲み操作ｓｕ１により指定されると（ステップＳ２０（Ｙｅｓ））、前記左画面１７Ｌで指定された画像対応キーワード『源頼朝』Ｋ１（『頼朝』Ｋｄ１）と、前記右画面１７Ｒに拡大表示された画像［源氏・北条氏の系図］ＧＫの画像番号[P56-7(6)]と、当該画像ＧＫ内で指定された画像部分（ｓｕ１）の位置情報（指定画像部分）とが対応付けられて、追加の画像対応キーワードとして追加画像対応キーワードデータエリア１２ｅに登録されて記憶される（ステップＳ２１）。
【００７６】
すると、前記追加画像対応キーワードデータエリア１２ｅに登録された画像対応キーワード『源頼朝』Ｋ１（『頼朝』Ｋｄ１）と画像［源氏・北条氏の系図］ＧＫの画像番号[P56-7(6)]と当該画像ＧＫの画像部分（ｓｕ１）の位置情報（指定画像部分）とを対応付けた追加画像対応キーワード（『源頼朝』Ｋ１（『頼朝』Ｋｄ１）／画像番号[P56-7(6)]／指定画像部分（ｓｕ１））のデータが学習済みキーワードデータエリア１２ｆに登録されて記憶される（ステップＳ２２）。
【００７７】
続いて前記同様に、図８（Ｃ）のペンＰ１に示すように、左画面１７Ｌに識別表示されている画像対応キーワード『北条政子』Ｋ２がタッチ操作されて指定された後（ステップＳ２３（Ｎｏ）→Ｓ１９（Ｙｅｓ））、ペンＰ２に示すように、右画面１７Ｒの画像［源氏・北条氏の系図］ＧＫ（ｐｅ）に含まれる「政子」の部分が囲み操作ｓｕ２により指定されると（ステップＳ２０（Ｙｅｓ））、前記左画面１７Ｌで指定された画像対応キーワード『北条政子』Ｋ２と、前記右画面１７Ｒに拡大表示された画像［源氏・北条氏の系図］ＧＫの画像番号[P56-7(6)]と、当該画像ＧＫ内で指定された画像部分（ｓｕ２）の位置情報（指定画像部分）とが対応付けられて、追加の画像対応キーワードとして追加画像対応キーワードデータエリア１２ｅに登録されて記憶される（ステップＳ２１）。
【００７８】
すると、前記追加画像対応キーワードデータエリア１２ｅに登録された画像対応キーワード『北条政子』Ｋ２と画像［源氏・北条氏の系図］ＧＫの画像番号[P56-7(6)]と当該画像ＧＫの画像部分（ｓｕ２）の位置情報（指定画像部分）とを対応付けた追加画像対応キーワード（『北条政子』Ｋ２／画像番号[P56-7(6)]／指定画像部分（ｓｕ２））のデータが学習済みキーワードデータエリア１２ｆに登録されて記憶される（ステップＳ２２）。
【００７９】
さらに、図９（Ａ）のペンＰ１に示すように、左画面１７Ｌに拡大表示されているテキスト部分ｔｐの追加キーワード『時政』Ｋｄ２がタッチ操作され赤色マーカＲｍにより識別表示された後（ステップＳ２３（Ｎｏ）→Ｓ１９（Ｙｅｓ））、ペンＰ２に示すように、右画面１７Ｒの画像［源氏・北条氏の系図］ＧＫ（ｐｅ）に含まれる「北条時政」の部分が囲み操作ｓｕ３により指定されると（ステップＳ２０（Ｙｅｓ））、前記同様に、左画面１７Ｌで指定された追加キーワード『時政』Ｋｄ２と、前記右画面１７Ｒに拡大表示された画像［源氏・北条氏の系図］ＧＫの画像番号[P56-7(6)]と、当該画像ＧＫ内で指定された画像部分（ｓｕ３）の位置情報（指定画像部分）とが対応付けられて、追加の画像対応キーワードとして追加画像対応キーワードデータエリア１２ｅに登録されて記憶される（ステップＳ２１）。
【００８０】
そして前記同様に、前記追加画像対応キーワードデータエリア１２ｅに登録された追加キーワード『時政』Ｋｄ２と画像［源氏・北条氏の系図］ＧＫの画像番号[P56-7(6)]と当該画像ＧＫの画像部分（ｓｕ３）の位置情報（指定画像部分）とを対応付けた追加画像対応キーワード（『時政』Ｋｄ２／画像番号[P56-7(6)]／指定画像部分（ｓｕ３））のデータが学習済みキーワードデータエリア１２ｆに登録されて記憶される（ステップＳ２２）。
【００８１】
ここで、図９（Ｂ）に示すように、右画面１７Ｒに拡大表示されて手書きモードに設定されている画像［源氏・北条氏の系図］ＧＫ（ｐｅ）内の文字認識アイコンｅｎがペンＰによりタッチ操作されると、前記指定画像部分（ｓｕ３）に含まれる文字列が文字認識されて認識文字列「北条時政」Ｎｍとして表示される。すると、前記認識文字列Ｎｍは認識キーワード「北条時政」Ｋｎ１として、前記学習済みキーワードデータエリア１２ｆに登録された前記追加画像対応キーワード（『時政』Ｋｄ２／画像番号[P56-7(6)]／指定画像部分（ｓｕ３））に含まれる追加キーワード『時政』Ｋｄ２に、更に対応付けられて登録される（ステップＳ１９〜Ｓ２２）。
【００８２】
この際、図９（Ｃ）のペンＰ１で示すように、右画面１７Ｒの画像［源氏・北条氏の系図］ＧＫ内に表示された認識文字列Ｎｍ（認識キーワード「北条時政」Ｋｎ１）がタッチ操作されて指定されると、当該指定された認識キーワード「北条時政」Ｋｎ１が、前記学習済みキーワードデータエリア１２ｆに登録された追加画像対応キーワード（『時政』Ｋｄ２／『北条時政』Ｋｎ１／画像番号[P56-7(6)]／指定画像部分（ｓｕ３））に基づいて、左画面１７Ｌに識別表示されている追加キーワード『時政』Ｋｄ２（Ｒｍ）の近傍に青色マーカＢｍにより識別されて表示される。
【００８３】
図１０は、前記電子黒板（講義者端末）１０の講義者端末処理（その２，３）に従った（Ｂ）キーワードと対応部分画像に基づいた問題の出力動作を示す図である。
【００８４】
前記図９（Ｃ）で示したタッチパネル付きカラー表示部１７（１７Ｌ／１７Ｒ）において、ペンＰ２に示すように、操作ボックスＣＢの出題アイコンＱがタッチ操作されると（ステップＳ２４（Ｙｅｓ））、学習済みキーワードデータエリア１２ｆに学習済みキーワードが登録されているか否か判断される（ステップＳ２５）。
【００８５】
ここでは、学習済みキーワードデータエリア１２ｆに、前記ステップＳ２２において登録された１つ目の追加画像対応キーワード（(1)『源頼朝』Ｋ１（『頼朝』Ｋｄ１）／画像番号[P56-7(6)]／指定画像部分（ｓｕ１））のデータと、２つ目の追加画像対応キーワード（(2)『北条政子』Ｋ２／画像番号[P56-7(6)]／指定画像部分（ｓｕ２））のデータと、３つ目の追加画像対応キーワード（(3)『時政』Ｋｄ２（『北条時政』Ｋｎ１）／画像番号[P56-7(6)]／指定画像部分（ｓｕ３））のデータとが、それぞれ学習済みキーワードとして登録されていると判断される（ステップＳ２５（Ｙｅｓ））。
【００８６】
そして、前記学習済みキーワードとして登録されている前記３つの追加画像対応キーワードについて、指定された画像の部分の位置情報（指定画像部分（ｓｕ１）（ｓｕ２）（ｓｕ３））が対応付けられていると判断されるので（ステップＳ２６（Ｙｅｓ））、（Ｂ）キーワードと対応部分画像に基づいた問題の出力処理が実行される（ステップＳＢ）。
【００８７】
先ず、前記学習済みキーワードデータエリア１２ｆに登録されている学習済みキーワード（３つの追加画像対応キーワード（(1)『源頼朝』Ｋ１（『頼朝』Ｋｄ１）／画像番号[P56-7(6)]／指定画像部分（ｓｕ１））（(2)『北条政子』Ｋ２／画像番号[P56-7(6)]／指定画像部分（ｓｕ２））（(3)『時政』Ｋｄ２（『北条時政』Ｋｎ１）／画像番号[P56-7(6)]／指定画像部分（ｓｕ３）））について、出題レベルデータエリア１２ｇに記憶されている出題レベルが（初級）と判断される（ステップＢ１（初級））。
【００８８】
すると、図１０（Ａ）に示すように、左画面１７Ｌを対象に、前記学習済みキーワードに含まれる各画像対応キーワード（『源頼朝』Ｋ１（『頼朝』Ｋｄ１），『北条政子』Ｋ２，『時政』Ｋｄ２（『北条時政』Ｋｎ１））を含むテキスト部分ｔｐを配置するための初級問題の左画面用配置データを生成する（ステップＢ２）。
【００８９】
また、右画面１７Ｒを対象に、前記学習済みキーワードに含まれる画像番号[P56-7(6)]と指定画像部分（ｓｕ１）（ｓｕ２）（ｓｕ３）に基づき、指定画像部分「源頼朝」（ｓｕ１）を黄色マーカＹｍで、指定画像部分「政子」（ｓｕ２）を緑色マーカＧｍで、指定画像部分「北条時政」（ｓｕ３）を青色マーカＢｍでそれぞれ隠した画像［源氏・北条氏の系図］ＧＫを拡大して配置し、出題メッセージ「画像のマーカ隠しにドラッグしてね！」を付加して配置するための初級問題の右画面用配置データを生成する（ステップＢ３）。
【００９０】
そして、前記初級問題の左画面用配置データに従い生成したテキスト部分ｔｐが左画面１７Ｌに表示されて出力され、また前記初級問題の右画面用配置データに従い生成した初級問題画面ＧＱ１が、右画面１７Ｒに表示されて出力される（又は各受講者端末２０…に送信されて出力される。）（ステップＡ６）。
【００９１】
前記初級問題画面ＧＱ１において、例えば講師Ｌｅにより指名されたユーザ（受講者ｓｔ）の操作により、マーカ隠しされた各指定画像部分（ｓｕ１）（ｓｕ２）（ｓｕ３）に対して、それぞれ左画面１７Ｌに表示されているテキスト部分ｔｐに含まれる各画像対応キーワードＫｎの文字列がドラッグｄされて当て嵌められると、当該ドラッグｄされた画像対応キーワードＫｎがドラッグ先の各指定画像部分（ｓｕ１）（ｓｕ２）（ｓｕ３）に対応付けられて登録されている各画像対応キーワード『源頼朝』Ｋ１，『北条政子』Ｋ２，『北条時政』Ｋｎ１に一致するか否かにより正誤判断される（ステップＡ７）。
【００９２】
例えば、図１０（Ａ）のペンＰ１，Ｐ２に示すように、右画面１７Ｒに表示された初級問題画面ＧＱ１の指定画像部分（ｓｕ３）に対して、左画面１７Ｌに表示されている追加の画像対応キーワード『頼朝』Ｋｄ１がドラッグｄされて当て嵌められた場合は、不正解の旨のメッセージ「間違いだよ×」Ｆａが表示され、また、不正解の旨の音声“ブッブー”が音声出力部１８から出力される（ステップＡ７（不正解）→Ａ９）。
【００９３】
一方、例えば、右画面１７Ｒに表示された初級問題画面ＧＱ１の指定画像部分（ｓｕ２）に対して、左画面１７Ｌに表示されている画像対応キーワード『北条政子』Ｋ２がドラッグｄされて当て嵌められた場合は、正解の旨のメッセージ「正解です○」が表示され、また、正解の旨の音声“ピンポン”が音声出力部１８から出力される（ステップＡ７（正解）→Ａ８）。
【００９４】
この後、前記初級問題画面ＧＱ１の表示状態において、操作ボックスＣＢの出題アイコンＱが再びタッチ操作されると、図１０（Ｂ）に示すように、中級問題画面ＧＱ２が左画面１７Ｌに表示される（ステップＢ１（中級）→Ｂ４，Ｂ５）。
【００９５】
すなわち、図１０（Ｂ）に示すように、左画面１７Ｌを対象に、前記学習済みキーワードに含まれる各画像対応キーワード（『源頼朝』Ｋ１（『頼朝』Ｋｄ１），『北条政子』Ｋ２，『北条時政』Ｋｎ１（『時政』Ｋｄ２））を含むテキスト部分ｔｐについて、当該各画像対応キーワードを黄色マーカＹｍ，緑色マーカＧｍ，青色マーカＢｍによりマーカ隠しして配置し、当該マーカ隠しした各画像対応キーワードを画面１７Ｌ内の別の位置にランダムに配置し、更に出題メッセージ「テキストのマーカ隠しにドラッグしてね！」を付加して配置するためのするための中級問題の左画面用配置データを生成する（ステップＢ４）。
【００９６】
また、右画面１７Ｒを対象に、前記各指定画像部分（ｓｕ１）（ｓｕ２）（ｓｕ３）が含まれる画像［源氏・北条氏の系図］ＧＫを拡大して配置し、更に当該画像ＧＫを、ヒント用メッセージ「［ヒント］わからないときは、タッチしてね」を記載したヒント画面ＧＨにより隠して配置するための中級問題の右画面用配置データを生成する（ステップＢ５）。
【００９７】
そして、前記中級問題の左画面用配置データに従い生成した中級問題画面ＧＱ２が左画面１７Ｌに表示されて出力され、また前記中級問題の右画面用配置データに従い生成した画像［源氏・北条氏の系図］ＧＫを隠したヒント画面ＧＨが、右画面１７Ｒに表示されて出力される（又は各受講者端末２０…に送信されて出力される。）（ステップＡ６）。
【００９８】
前記中級問題画面ＧＱ２において、例えば講師Ｌｅにより指名されたユーザ（受講者ｓｔ）の操作により、マーカ隠しされた各画像対応キーワードの文字列の部分（Ｋ１（Ｙｍ），Ｋｄ１（Ｙｍ））（Ｋ２（Ｇｍ））（Ｋｄ２（Ｂｍ），Ｋｎ１（Ｂｍ））に対して、それぞれ同画面ＧＱ２（中級）内の別の位置にランダムに表示されている各画像対応キーワードＫｎがドラッグｄされて当て嵌められると、当該ドラッグｄされた画像対応キーワードＫｎがドラッグ先の各マーカ隠し部分（Ｋ１（Ｙｍ），Ｋｄ１（Ｙｍ））（Ｋ２（Ｇｍ））（Ｋｄ２（Ｂｍ），Ｋｎ１（Ｂｍ））で隠されている各画像対応キーワード『源頼朝』Ｋ１，『北条政子』Ｋ２，『北条時政』Ｋｎ２に一致するか否かにより正誤判断される（ステップＡ７）。
【００９９】
例えば、左画面１７Ｌに表示された中級問題画面ＧＱ２の黄色マーカＹｍでマーカ隠しされた文字列の部分（Ｋ１（Ｙｍ），Ｋｄ１（Ｙｍ））に対して、同画面ＧＱ２（中級）内の別の位置にランダムに表示されている画像対応キーワード『源頼朝』Ｋ１がドラッグｄされて当て嵌められた場合は、正解の旨のメッセージ「正解です○」が表示され、また、正解の旨の音声“ピンポン”が音声出力部１８から出力される（ステップＡ７（正解）→Ａ８）。
【０１００】
一方、例えば、左画面１７Ｌに表示された中級問題画面ＧＱ２の緑色マーカＧｍでマーカ隠しされた文字列の部分（Ｋ２（Ｇｍ））に対して、同画面ＧＱ２（中級）内の別の位置にランダムに表示されている画像対応キーワード『北条時政』Ｋｎ１がドラッグｄされて当て嵌められた場合は、不正解の旨のメッセージ「間違いだよ×」が表示され、また、不正解の旨の音声“ブッブー”が音声出力部１８から出力される（ステップＡ７（不正解）→Ａ９）。
【０１０１】
この後さらに、前記中級問題画面ＧＱ２の表示状態において、操作ボックスＣＢの出題アイコンＱが再びタッチ操作されると、図１０（Ｃ）に示すように、上級問題画面ＧＱ３が左画面１７Ｌに表示される（ステップＢ１（上級）→Ｂ６，Ｂ７）。
【０１０２】
すなわち、図１０（Ｃ）に示すように、左画面１７Ｌを対象に、前記学習済みキーワードに含まれる各画像対応キーワード（『源頼朝』Ｋ１（『頼朝』Ｋｄ１），『北条政子』Ｋ２，『北条時政』Ｋｎ１（『時政』Ｋｄ２））を含むテキスト部分ｔｐについて、当該各画像対応キーワードを手書き文字の入力枠ｗにより隠して配置し、更に出題メッセージ「テキストの枠内に文字を書いてね」を付加して配置するためのするための上級問題の左画面用配置データを生成する（ステップＢ６）。
【０１０３】
また、右画面１７Ｒを対象に、前記各指定画像部分（ｓｕ１）（ｓｕ２）（ｓｕ３）が設定されている画像［源氏・北条氏の系図］ＧＫを拡大して配置し、更に当該画像ＧＫを、ヒント用メッセージ「［ヒント］わからないときは、タッチしてね」を記載したヒント画面ＧＨによって隠して配置するための上級問題の右画面用配置データを生成する（ステップＢ７）。
【０１０４】
そして、前記上級問題の左画面用配置データに従い生成した上級問題画面ＧＱ３が左画面１７Ｌに表示されて出力され、また前記上級問題の右画面用配置データに従い生成した画像［源氏・北条氏の系図］ＧＫを隠したヒント画面ＧＨが、右画面１７Ｒに表示されて出力される（又は各受講者端末２０…に送信されて出力される。）（ステップＡ６）。
【０１０５】
なお、図１０（Ｃ）の右画面１７Ｒは、前記ヒント画面ＧＨをタッチすることで、当該ヒント画面ＧＨにより隠れていた画像［源氏・北条氏の系図］ＧＫをヒントとして表示させた状態を示している。
【０１０６】
前記上級問題画面ＧＱ３において、例えば講師Ｌｅにより指名されたユーザ（受講者ｓｔ）の操作により、手書き文字の入力枠ｗにより隠された各画像対応キーワードの文字列の部分（Ｋｄ１（ｗ））（Ｋ２（ｗ））（Ｋｄ２（ｗ））に対して、解答としての文字列が手書きにより入力されると、当該入力された文字列が該当する入力枠（Ｋｄ１（ｗ））（Ｋ２（ｗ））（Ｋｄ２（ｗ））で隠されている各画像対応キーワード『頼朝』Ｋｄ１，『北条政子』Ｋ２，『時政』Ｋｄ２に一致するか否かにより正誤判断される（ステップＡ７）。
【０１０７】
例えば、左画面１７Ｌに表示された上級問題画面ＧＱ３の入力枠（Ｋｄ１（ｗ））に対して、『頼朝』Ｋｄ１が手書き入力された場合は、正解の旨のメッセージ「正解です○」が表示され、また、正解の旨の音声“ピンポン”が音声出力部１８から出力される（ステップＡ７（正解）→Ａ８）。
【０１０８】
一方、例えば、左画面１７Ｌに表示された上級問題画面ＧＱ３の入力枠（Ｋｄ２（ｗ））に対して、『頼朝』Ｋｄ１が手書き入力された場合は、不正解の旨のメッセージ「間違いだよ×」が表示され、また、不正解の旨の音声“ブッブー”が音声出力部１８から出力される（ステップＡ７（不正解）→Ａ９）。
【０１０９】
したがって、講師Ｌｅは、右画面１７Ｒに表示させた今回の講義の対象となる文書（教科書）の見開きページＴｘ（Ｐ５６−５７）のデータのうち、講義の中心となるテキスト部分ｔｐを左画面１７Ｌに拡大表示させ、ペンＰ等により重要な内容を指し示しながら講義を進める過程において、前記見開きページＴｘに含まれる画像ＧＫを指定して拡大表示させた後、前記テキスト部分ｔｐに含まれる重要なキーワード（画像対応キーワードＫｎや追加キーワードＫｄｎ）と当該キーワードＫｎ（Ｋｄｎ）に対応する前記画像ＧＫの部分（ｓｕｎ）とをそれぞれ指定して強調する操作を行なうだけで、当該講義の内容に即した（Ｂ）キーワードと対応部分画像に基づいた問題データを自動的に生成して表示出力（又は受講者端末２０に送信出力）することができる。
【０１１０】
そして、受講者ｓｔは、前記（Ｂ）キーワードと対応部分画像に基づいた問題データに応じて出題される初級問題画面ＧＱ１〜上級問題画面ＧＱ３に従い、前記講師Ｌｅによる重要キーワードと当該重要キーワードを含む画像についての講義内容に即したタイムリーな学習を行なうことができる。
【０１１１】
なお、前記操作ボックスＣＢに表示されている出題アイコンＱがタッチ操作された際に（ステップＳ２４（Ｙｅｓ））、学習済みキーワードデータエリア１２ｆに学習済みキーワードのデータが登録されていないと判断された場合は（ステップＳ２５（Ｎｏ））、「出題できるデータ無し」のメッセージが表示される（ステップＳ２７）。
【０１１２】
前記実施形態では、左画面１７Ｌに表示させたテキスト部分ｔｐに含まれるキーワード等の文字列を指定する操作や右画面１７Ｒに表示させた画像を指定する操作を、ユーザのタッチ操作により行なうものとして説明したが、表示中のカーソルの移動操作やマウス操作により行なうものであってもよい。
【０１１３】
また、前記各受講者（生徒等）Ｓｔ…が持つ受講者端末（タブレット端末等）２０…に、前記電子黒板（講義者端末）１０と同じ機能を持たせてもよい。これによれば、各受講者Ｓｔ…が受講者端末２０…により、前記講義者（講師等）Ｌｅが講義中に電子黒板１０を操作したのと同様に操作することで、当該各受講者端末２０…自身において、前記同様に、学習済みキーワードデータを登録し、（Ａ）キーワードと対応画像に基づいた問題、（Ｂ）キーワードと対応部分画像に基づいた問題、を生成して出題することができ、各自Ｓｔ…で、講義者（講師Ｌｅ等）による講義内容に即したタイムリーな学習を行なうことができる。
【０１１４】
前記各実施形態において記載した電子黒板（講義者端末）１０による各処理の手法、すなわち、図３〜図５のフローチャートに示す講義者端末処理（その１〜３）などの各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の記録媒体に格納して配布することができる。
【０１１５】
また、前記各手法を実現するためのプログラムのデータは、プログラムコードの形態として通信ネットワーク上を伝送させることができ、このプログラムデータを、通信ネットワークに接続された電子機器のコンピュータに通信部によって取り込むことで、前述した講義内容に即した問題データの生成機能とその出題機能を実現することもできる。
【０１１６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１１７】
以下に、本願出願の当初の特許請求の範囲に記載された発明を付記する。
【０１１８】
［請求項１］
表示部に表示されたテキスト中のキーワードをユーザ操作に応じて指定するキーワード指定手段と、
前記指定されたキーワードが画像に対応づけられたキーワードであると判断された場合に、前記表示部に前記指定されたキーワードに対応づけられた画像を表示させる画像表示制御手段と、
前記キーワード指定手段により指定されたキーワードに前記画像表示制御手段により表示された画像を対応付けて表示済みデータとして登録する表示済みキーワード登録手段と、
前記表示済みキーワード登録手段により登録されたキーワードと画像に基づいた問題を出力する問題出力手段と、
を備えた情報表示装置。
【０１１９】
［請求項２］
前記画像表示制御手段により表示された画像中の画像部分をユーザ操作に応じて指定する画像部分指定手段を有し、
前記画像部分指定手段により前記表示された画像中の画像部分が指定された場合、前記表示済みキーワード登録手段は、前記キーワード指定手段により指定されたキーワードに前記画像部分指定手段により指定された画像部分を対応付けて表示済みデータとして登録し、前記問題出力手段は、前記表示済みキーワード登録手段により登録されたキーワードと画像部分に基づいた問題を出力する、
請求項１に記載の情報表示装置。
【０１２０】
［請求項３］
前記キーワード指定手段により指定されたテキスト中のキーワードに対応する文字列を識別表示させるキーワード識別表示手段を備えた、
請求項１又は請求項２に記載の情報表示装置。
【０１２１】
［請求項４］
前記表示されたテキスト中の文字列をユーザ操作に応じて追加のキーワードとして指定する追加キーワード指定手段と、
前記追加キーワード指定手段により指定されたテキスト中の追加のキーワードに対応する文字列を識別表示させる追加キーワード識別表示手段と、を備え、
前記キーワード指定手段により前記表示されたテキスト中のキーワードがユーザ操作に応じて指定され、前記追加キーワード指定手段により前記表示されたテキスト中の追加のキーワードがユーザ操作に応じて指定された場合、前記表示済みキーワード登録手段は、前記キーワード指定手段により指定されたキーワードに前記追加キーワード指定手段により指定された追加のキーワードと前記画像表示制御手段により表示された画像とを対応付けて表示済みデータとして登録し、前記問題出力手段は、前記表示済みキーワード登録手段により登録されたキーワードと追加のキーワードと画像に基づいた問題を出力する、
請求項１〜請求項３の何れか１項に記載の情報表示装置。
【０１２２】
［請求項５］
前記表示済みキーワード登録手段により、前記キーワード指定手段により指定されたキーワードに前記追加キーワード指定手段により指定された追加のキーワードと前記画像表示制御手段により表示された画像とが対応付けられて表示済みデータとして登録された場合、前記追加キーワード識別表示手段により識別表示された前記テキスト中の追加のキーワードに対して前記キーワード指定手段により指定され前記表示済みデータとして登録されたキーワードもあわせて表示させる登録キーワード対応表示制御手段を備えた、
請求項４に記載の情報表示装置。
【０１２３】
［請求項６］
前記問題出力手段は、前記表示済みキーワード登録手段により登録されたキーワードと画像とをランダムに配置しユーザに並べさせる問題を出力する、
請求項１に記載の情報表示装置。
【０１２４】
［請求項７］
前記問題出力手段は、前記表示済みキーワード登録手段により登録されたキーワードと画像とをキーワードを隠した状態で対応付けて配置し、隠したキーワードをユーザに入力させる問題を出力する、
請求項１に記載の情報表示装置。
【０１２５】
［請求項８］
前記問題出力手段は、前記表示済みキーワード登録手段により登録された画像部分を隠して前記登録されたキーワードをユーザに当て嵌めさせる問題を出力する、
請求項２に記載の情報表示装置。
【０１２６】
［請求項９］
前記問題出力手段は、前記表示済みキーワード登録手段により登録された画像部分をヒントとして前記登録されたキーワードを隠し、隠したキーワードをユーザに入力させる問題を出力する、
請求項２に記載の情報表示装置。
【０１２７】
［請求項１０］
表示部に表示されたテキスト中のキーワードをユーザ操作に応じて指定するキーワード指定ステップと、
前記指定されたキーワードが画像に対応づけられたキーワードであると判断された場合に、前記表示部に前記指定されたキーワードに対応づけられた画像を表示させる画像表示制御ステップと、
前記キーワード指定ステップにより指定されたキーワードに前記画像表示制御ステップにより表示された画像を対応付けて表示済みデータとして登録する表示済みキーワード登録ステップと、
前記表示済みキーワード登録ステップにより登録されたキーワードと画像に基づいた問題を出力する問題出力ステップと、
からなる情報表示方法。
【０１２８】
［請求項１１］
コンピュータを、
表示部に表示されたテキスト中のキーワードをユーザ操作に応じて指定するキーワード指定手段、
前記指定されたキーワードが画像に対応づけられたキーワードであると判断された場合に、前記表示部に前記指定されたキーワードに対応づけられた画像を表示させる画像表示制御手段、
前記キーワード指定手段により指定されたキーワードに前記画像表示制御手段により表示された画像を対応付けて表示済みデータとして登録する表示済みキーワード登録手段、
前記表示済みキーワード登録手段により登録されたキーワードと画像に基づいた問題を出力する問題出力手段、
として機能させるためのコンピュータ読み込み可能なプログラム。
【符号の説明】
【０１２９】
１０  …電子黒板（講義者端末）
１１  …ＣＰＵ
１２  …メモリ
１２ａ…講義者端末プログラム
１２ｂ…文書（電子教科書）コンテンツエリア
１２ｃ…画像対応キーワードデータエリア
１２ｄ…キーワードデータエリア
１２ｅ…追加画像対応キーワードデータエリア
１２ｆ…学習済みキーワードデータエリア
１２ｇ…出題レベルデータエリア
１３  …外部記録媒体
１４  …記録媒体読取部
１５  …無線通信部
１６  …キー入力部
１７  …タッチパネル付きカラー表示部
１７Ｌ…左画面
１７Ｒ…右画面
１８  …音声出力部
２０  …受講者端末
Ｌｅ  …講義者（講師等）
ｓｔ  …受講者（生徒等）
Ｔｘ  …テキスト（電子教科書）の見開きページ
ｔｐ  …テキスト部分
ＣＢ  …操作ボックス
Ｑ  …出題アイコン
ＧＱ，ＧＱ´…初級，上級問題画面（キーワードと対応画像に基づく問題）
ＧＱ１〜ＧＱ３…初級問題画面〜上級問題画面（キーワードと対応部分画像に基づく問題）
【図１】
2018159737.tif 000003
【図２】
2018159737.tif 000004
【図３】
2018159737.tif 000005
【図４】
2018159737.tif 000006
【図５】
2018159737.tif 000007
【図６】
2018159737.tif 000008
【図７】
2018159737.tif 000009
【図８】
2018159737.tif 000010
【図９】
2018159737.tif 000011
【図１０】
2018159737.tif 000012